(57)【要約】【課題】量産するための初期費用を低く抑え、製造工程を単純化し製造コストを低いものとし、排泄前の糞を待ち受けての採取、排泄後の既に排泄された糞の採取のいずれも可能で、糞採取にまつわる不快感を低減し実用性の高い糞採取器を提供する。【解決手段】一方が開口した２つの箱状体の開口端縁どうしがヒンジにより開閉自在に連結され、排泄前に糞を待ち受けて採取することと、排泄後の既に排泄された糞を採取することのいずれも可能で、２つの箱状体が閉蓋し合い箱状に形成される糞収容部に糞を収容し、２つの箱状体を閉じた状態のままで互いに固定する糞採取器であって、パルプモールド、紙、段ボール、木質材、樹脂成形体のうちから選ばれる少なくとも１種以上の材料から成形することにより量産するための初期費用と製造コストが低いことを特徴とする糞採取器およびこれを用いた糞採取方法である。【選択図】図５
2017163966.tif 000002
【特許請求の範囲】
【請求項１】
一方が開口した２つの箱状体の開口端縁どうしがヒンジ部により開閉自在に連結され、ヒンジ部を支点として２つの箱状体を閉じ合わせた際に２つの箱状体が互いに閉蓋し合い箱状の糞収容部を形成することを特徴とする糞採取器。
【請求項２】
前記ヒンジ部が、２つの箱状体のそれぞれの対向する開口端縁に設けられている２つのヒンジと、該２つのヒンジを間隔を開けて連結するヒンジ帯とからなる二重ヒンジであることを特徴とする請求項１記載の糞採取器。
【請求項３】
前記２つの箱状体の少なくともいずれかに手指を挿入するための指入穴を設けたことを特徴とする請求項１又は２記載の糞採取器。
【請求項４】
前記２つの箱状体を閉じた状態のままで固定するための係合部が箱状体の開口端縁に設けられていることを特徴とする請求項１〜３いずれかに記載の糞採取器。
【請求項５】
前記係合部が２つの箱状体の少なくともいずれかの箱状体の開口端縁に設けられた係合片であることを特徴とする請求項４に記載の糞採取器。
【請求項６】
前記２つの箱状体を閉じた状態のままで固定するための嵌合部が設けられ、該嵌合部が２つの箱状体のうち一方の箱状体に設けられた嵌合凸部と他方の箱状体に設けられた嵌合凹部からなることを特徴とする請求項１〜５いずれかに記載の糞採取器。
【請求項７】
前記２つの箱状体が、パルプモールド、紙、段ボール、木質材、樹脂成形体のうちから選ばれる少なくとも１種以上の材料からなることを特徴とする請求項１〜６いずれかに記載の糞採取器。
【請求項８】
糞採取器を用いて糞を採取する方法として下記の手順、
（手順１）
糞の排泄前に糞採取器の２つの箱状体を開口させ開口部を上向きにしてペットの尻の下に位置させる第１手順と、
（手順２）
糞採取器の２つの箱状体の少なくともいずれか一方の箱状体で糞を受け止めて採取する第２手順と、
（手順３）
糞採取器の２つの箱状体を閉じ合わせ互いに閉蓋させ、箱状に形成される糞収容部に糞を収容する第３手順と、
（手順４）
糞採取器の２つの箱状体を閉じた状態のままで互いに固定する第４手順と
からなることを特徴とする糞採取方法。
【請求項９】
糞採取器を用いて糞を採取する方法として下記の手順、
（手順１）
糞の排泄後に糞採取器の２つの箱状体を開口させ開口部を下向きにして保持する第１手順と、
（手順２）
排泄された糞の上からそれぞれの箱状体のヒンジに対向する開口端縁を地面に押し当て２つの箱状体を閉じ合わせて糞を採取する第２手順と、
（手順３）
糞採取器の２つの箱状体を互いに閉蓋させ、箱状に形成される糞収容部に糞を収容する第３手順と、
（手順４）
糞採取器の２つの箱状体を閉じた状態のままで互いに固定する第４手順と
からなることを特徴とする糞採取方法。
【発明の詳細な説明】
【技術分野】
【０００１】
本願発明は、製造が容易で実用性の高い糞採取器およびこれを用いた糞採取方法に関するものである。
【背景技術】
【０００２】
飼い犬の散歩時の糞の採取方法として、従来は地面に排泄された糞をスコップ、火挟み、割り箸等で取ったり、ビニール袋を手袋代わりにして手に被せビニール越しに手で掴み取ったり、ティッシュペーパー等を糞に被せてティッシュペーパー越しに手で掴み取るなどの方法が取られていた。
【０００３】
しかし、一旦糞を採取して汚れたスコップや火挟みは不潔で持ち運びに嵩張り、持ち帰る際に悪臭を放つなどして不快であり、汚れた部分が人の衣服や身体に触れて汚してしまう可能性があり、汚れを落とすためには紙で拭き取ったり水で洗い流すなどの手間を要するものであった。
【０００４】
また、ビニール袋やティッシュペーパー等を介して手で糞を掴み取る方法は、糞の柔らかい感触や生温かい温度を間接的にではあるが掌に感じるもので不快感を伴うものであった。
【０００５】
更に、割り箸等で糞をつまみ取って採取した後、食事等で食べ物を自分の口に運ぶ際に犬の糞をつまみ取ったことを思い出してしまうなど、割り箸等による糞の採取は実際の糞の採取時以外にも不快感を与えるものであった。
【０００６】
このような点を解決するため、プラスチック、金属、ポリ袋、紙、紙袋、粘着剤等を使用した複数の部材からなる糞の採取器具が種々考案されている。
【先行技術文献】
【特許文献】
【０００７】
【特許文献１】実用新案登録第３０８７３６９号公報
【特許文献２】特許第４２２４６３８号公報
【特許文献３】特許第４６５０６９２号公報
【発明の概要】
【発明が解決しようとする課題】
【０００８】
しかし、特許文献１、特許文献２、特許文献３のいずれの器具も複数の部材から構成され、部材の成形、組み立て等複数の製造工程が必要であった。
【０００９】
また、これらの器具の部材はプラスチックの成形品や金属加工品などから構成されているため、量産するには部材を成形するための金型等に要する初期費用が高額になったり、組み立て等の製造コストが高くなる可能性があった。
【００１０】
従い、量産して市場に安価で提供するには解決すべき課題の多いものであった。
【００１１】
また、特許文献１、特許文献２の器具は、糞が排泄されるのを犬やペットの尻の下で待ち受けて採取するものであり、排泄後の既に排泄された糞を採取するものではなかった。
【００１２】
従い、待ち受けて採取することができず犬やペットが糞を地面に排泄してしまった場合には、スコップ、火挟み、割り箸、ビニール袋、ティッシュペーパー等を使った旧来の方法で処理する必要が生じるものであった。
【００１３】
一方、特許文献３の器具は、排泄後の既に排泄された糞を掴み取って採取するものであって、排泄を待ち受けて採取するものではなかった。
【００１４】
従い、排泄を待ち受けて地面を糞で汚さずに採取できる状況であっても、一旦は糞を地面に排泄させた後に採取する必要が有るものであった。
【００１５】
このように、これらの器具は採取方法が限定されているため、実用性が低いものであった。
【００１６】
本願発明の課題は、量産するための初期費用を低く抑え、製造工程を単純化し製造コストを低いものとし、排泄前の糞を待ち受けての採取、排泄後の既に排泄された糞の採取のいずれも可能で、糞採取にまつわる不快感を低減した実用性の高い糞採取器を提供することにある。
【課題を解決するための手段】
【００１７】
本願発明の請求項１に記載の糞採取器は、一方が開口した２つの箱状体の開口端縁どうしがヒンジ部により開閉自由に連結され、ヒンジ部を支点として２つの箱状体を閉じ合わせた際に２つの箱状体が互いに閉蓋し合い箱状の糞収容部を形成する糞採取器である。
係る構成によれば、ヒンジ部を支点として２つの箱状体を閉じ合わせて容易に糞を採取することができ、２つの箱状体が互いに閉蓋し合い形成する箱状の糞収容部に糞を容易に収容することができる。
【００１８】
本願発明の請求項２に記載の糞採取器は、前記ヒンジ部が、２つの箱状体のそれぞれの対向する開口端縁に設けられている２つのヒンジと、該２つのヒンジを間隔を開けて連結するヒンジ帯とからなる二重ヒンジである糞採取器である。
係る構成によれば、排泄後の既に排泄された糞を採取する場合、一方の箱状体のヒンジに対向する開口端縁が地面に密着し糞をすくい上げる動作をしながらもう一方の箱状体に糞を押しやり、地面を糞で汚すことを少なくし綺麗に糞を採取することができる。  また、糞を採取して２つの箱状体を閉じ合わせた際に、２つの箱状体が均一に深く重なり合うため糞収容部の密閉性を高め、糞を採取した後の糞採取器が嵩張らないようにすることができる。
【００１９】
本願発明の請求項３に記載の糞採取器は、前記２つの箱状体の少なくともいずれかに手指を挿入するための指入穴を設けた糞採取器である。  
係る構成によれば、指入穴に指を入れて操作することにより糞採取器の操作性が向上し、糞収容部を掌で触れずに操作できるため、糞の生温かい温度を掌に感じること無く排泄後の既に排泄された糞を採取することができる。
【００２０】
本願発明の請求項４に記載の糞採取器は、前記２つの箱状体を閉じた状態のままで固定するための係合部が箱状体の開口端縁に設けられている糞採取器である。
係る構成によれば、前記２つの箱状体を閉じた状態のままで固定することができる。
【００２１】
本願発明の請求項５に記載の糞採取器は、前記２つの箱状体の少なくともいずれかの箱状体の開口端縁に係合部として係合片が設けられた糞採取器である。
係る構成によれば、前記２つの箱状体を閉じた状態のままで互いに固定することができる。
【００２２】
本願発明の請求項６に記載の糞採取器は、前記２つの箱状体を閉じた状態のままで固定するための嵌合部が設けられ、該嵌合部が前記２つの箱状体のうち一方の箱状体に設けられた嵌合凸部と他方の箱状体に設けられた嵌合凹部からなる糞採取器である。
係る構成によれば、嵌合部として前記２つの箱状体のうち一方の箱状体に設けられた嵌合凸部と他方の箱状体に設けられた嵌合凹部を嵌合することにより、前記２つの箱状体を閉じた状態のままで互いに固定することができる。
【００２３】
本願発明の請求項７に記載の糞採取器は、前記２つの箱状体が、パルプモールド、紙、段ボール、木質材、樹脂成形体のうちから選ばれる少なくとも１種以上の材料からなる糞採取器である。
係る構成によれば、量産するための初期費用を低く抑え製造工程を単純化し製造コストを低くすることができる。  
また、使用に際してユーザーが事前に紙、紙袋、ポリ袋等を器具に装着したり、部材の組み立て等を行う手間を無くすことができる。
更に、基本的に使い捨てであるので衛生的である。
【００２４】
本願発明の請求項８に記載の糞採取方法は、糞の排泄前に糞採取器の２つの箱状体を開口させ開口部を上向きにしてペットの尻の下に位置させ、２つの箱状体の少なくともいずれか一方の箱状体で糞を受け止めて採取し、２つの箱状体を閉じ合わせ互いに閉蓋させ、箱状に形成される糞収容部に糞を収容し、２つの箱状体を閉じた状態のままで互いに固定する糞採取方法である。
係る構成によれば、糞が地面に接して地面を汚すこと無く糞を採取することができる。
【００２５】
本願発明の請求項９に記載の糞採取方法は、糞の排泄後に糞採取器の２つの箱状体を開口させ開口部を下向きにして保持し、排泄された糞の上からそれぞれの箱状体のヒンジに対向する開口端縁を地面に押し当て２つの箱状体を閉じ合わせて糞を採取し、２つの箱状体を互いに閉蓋させ、箱状に形成される糞収容部に糞を収容し、２つの箱状体を閉じた状態のままで互いに固定する糞採取方法である。
係る構成によれば、排泄後の既に排泄された糞を採取することができる。
【発明の効果】
【００２６】
本願発明の請求項１によれば、一方が開口した２つの箱状体の開口端縁どうしがヒンジ部により開閉自由に連結されることにより、ヒンジ部を支点として２つの箱状体を閉じ合わせて容易に糞を採取することができ、２つの箱状体が互いに閉蓋し合い形成する箱状の糞収容部に糞を容易に収容することができる。
【００２７】
本願発明の請求項２によれば、前記ヒンジ部が、２つの箱状体のそれぞれの対向する開口端縁に設けられている２つのヒンジと、該２つのヒンジを間隔を開けて連結するヒンジ帯とからなる二重ヒンジであることにより、排泄後の既に排泄された糞を採取する場合、一方の箱状体のヒンジに対向する開口端縁が地面に密着し糞をすくい上げる動作をしながらもう一方の箱状体に糞を押しやり、地面を糞で汚すことを少なくし綺麗に糞を採取することができる。
【００２８】
また、上記二重ヒンジを備えることにより、糞を採取して２つの箱状体を閉じ合わせた際に、２つの箱状体が均一に深く重なり合うため糞収容部の密閉性を高め、糞を採取した後の糞採取器が嵩張らないようにすることができる。
【００２９】
本願発明の請求項３によれば、前記２つの箱状体の少なくともいずれかに手指を挿入するための指入穴を設け、指入穴に指を入れて操作することにより糞採取器の操作性が向上し、糞収容部を掌で触れずに操作できるため、糞の生温かい温度を掌に感じること無く排泄後の既に排泄された糞を採取することができる。
【００３０】
本願発明の請求項４によれば、係合部が箱状体の開口端縁に設けられているため、前記２つの箱状体を閉じた状態のままで固定することができる。
【００３１】
本願発明の請求項５によれば、前記２つの箱状体の少なくともいずれかの箱状体の開口端縁に設けられた係合片を係合部として前記２つの箱状体を閉じた状態のままで固定することができる。
【００３２】
本願発明の請求項６によれば、嵌合部として前記２つの箱状体のうち一方の箱状体に設けられた嵌合凸部と他方の箱状体に設けられた嵌合凹部を嵌合することにより、前記２つの箱状体を閉じた状態のままで互いに固定することができる。
【００３３】
本願発明の請求項７によれば、前記２つの箱状体が、パルプモールド、紙、段ボール、木質材、樹脂成形体のうちから選ばれる少なくとも１種以上の材料からなる糞採取器であるため、量産するための初期費用を低く抑え製造工程を単純化し製造コストを低くすることができる。  
また、使用に際してユーザーが事前に紙、紙袋、ポリ袋等を器具に装着したり、部材の組み立て等を行う手間を無くすことができる。
更に、基本的に使い捨てであるので衛生的である。
【００３４】
本願発明の請求項８によれば、糞の排泄前に糞採取器の２つの箱状体を開口させ開口部を上向きにしてペットの尻の下に位置させ、２つの箱状体の少なくともいずれか一方の箱状体で糞を受け止めて採取し、２つの箱状体を閉じ合わせ互いに閉蓋させ、箱状に形成される糞収容部に糞を収容し、２つの箱状体を閉じた状態のままで互いに固定するため、糞が地面に接して地面を汚すこと無く糞を採取することができる。
【００３５】
本願発明の請求項９によれば、糞の排泄後に糞採取器の２つの箱状体を開口させ開口部を下向きにして保持し、排泄された糞の上からそれぞれの箱状体のヒンジに対向する開口端縁を地面に押し当て２つの箱状体を閉じ合わせて糞を採取し、２つの箱状体を互いに閉蓋させ、箱状に形成される糞収容部に糞を収容し、２つの箱状体を閉じた状態のままで互いに固定するため、排泄後の既に排泄された糞を採取することができる。
【図面の簡単な説明】
【００３６】
【図１】本願発明の一実施の形態である糞採取器を展開して示す斜視図である。
【図２】図１のＡ−Ａ断面図である。
【図３】図１の態様から糞採取器を閉じた態様を示す斜視図である。
【図４】図３のＢ−Ｂ断面図である。
【図５】本願発明の一実施の形態であって、２つのヒンジと該２つのヒンジを間隔を開けて連結するヒンジ帯とからなる二重ヒンジを備えた糞採取器を展開して示す斜視図である。
【図６】図５のＣ−Ｃ断面図である。
【図７】図５の態様から糞採取器を閉じた態様を示す斜視図である。
【図８】図７のＤ−Ｄ断面図である。
【図９】図５の態様から糞採取器を閉じる途中の態様を示す図７のＤ−Ｄ断面図である。
【図１０】図７のＥ−Ｅ断面図である。
【図１１】図７の態様から係合片を折り返し周縁鍔部に係合させた状態のＥ−Ｅ断面図である。
【図１２】本願発明の一実施の形態であって、図１１の態様に係合解除操作片を設けた状態のＥ−Ｅ断面図である。
【図１３】本願発明の一実施の形態であって嵌合凸部と嵌合凹部からなる嵌合部を備えた糞採取器を展開して示す斜視図である。
【図１４】図１３の態様から糞採取器を閉じた態様を示す斜視図である。
【図１５】図１４のＦ−Ｆ断面図である。
【発明を実施するための形態】
【００３７】
本願発明の糞採取器は、一方が開口した箱状体である糞すくい上げ部２ａと、同じく一方が開口した箱状体である糞受け部２ｂの開口端縁どうしがヒンジ部１により開閉自由に連結され、ヒンジ部１を支点として糞すくい上げ部２ａと糞受け部２ｂを閉じ合わせて糞を採取し、糞すくい上げ部２ａと糞受け部２ｂが互いに閉蓋し合い形成する箱状の糞収容部２に糞を収容する糞採取器である。
【００３８】
これら２つの箱状体は、糞すくい上げ部２ａの周縁鍔部４ａ、４ｂ、４ｃが糞受け部２ｂの側壁部の内面に密着して閉じ合わさる寸法形状としたものである。
【００３９】
排泄後の既に排泄された糞を採取する場合に、図９に示すように、糞すくい上げ部２ａのヒンジ部に対向する開口端縁である周縁鍔部４ａが地面に密着し糞すくい上げ部２ａが糞をすくい上げる動作をしながら糞受け部２ｂに糞を押しやり、地面を糞で汚すことを少なくし綺麗に糞を採取することができるよう、糞すくい上げ部２ａの開口端縁にヒンジ部３ａ、糞受け部２ｂの開口端縁にヒンジ部３ｂの２つのヒンジ部を設け、これら２つのヒンジ部を間隔を開けて連結するヒンジ帯３とからなる二重ヒンジを備えることが好ましい。
【００４０】
更に、上記二重ヒンジを備えることにより、糞を採取して糞すくい上げ部２ａと糞受け部２ｂを閉じ合わせた際に、糞すくい上げ部２ａと糞受け部２ｂが均一に深く重なり合うため糞収容部２の密閉性を高め、糞を採取した後の糞採取器が嵩張らないようにすることができる。
【００４１】
ヒンジ部３ａとヒンジ部３ｂの間隔は、操作性を考慮し１０ｍｍ〜２０ｍｍ程度とすることが好ましい。
【００４２】
本願発明の糞採取器は、操作性を向上させ、糞収容部を掌で触れずに操作することにより糞の生温かい温度を掌に感じることの無いよう、第一指を挿入するための指入穴５を糞すくい上げ部２ａに設けることが好ましい。
【００４３】
指入穴５は突き抜けていない穴とし、指入穴５に挿入した指が指入穴５の胴部内面と圧着し糞採取器を安定して保持することができるよう、指入穴５の胴部の内径は奥に向かって徐々に狭くなる形状が好ましい。
【００４４】
指入穴５の位置を、周縁鍔部４ｂ、４ｃから等距離の位置とすることにより、左右どちらの手でも操作し易いものとすることが好ましい。
【００４５】
本願発明の糞採取器は、係合片６ａ、係合片６ｂを糞受け部２ｂの開口端縁に設けることが好ましい。係合突片としての周縁鍔部４ｂ、４ｃは糞すくい上げ部２ａの開口端縁に備えることが好ましい。係合突片としての周縁鍔部４ｂ、４ｃに代え、係合突起７ａ、係合突起７ｂを糞すくい上げ部２ａの側壁部外面に備えても良い。
【００４６】
糞すくい上げ部２ａと糞受部２ｂを閉じ合わせて糞を採取後、糞すくい上げ部２ａと糞受け部２ｂを互いに閉蓋させて糞収容部２に糞を収容後、係合片６ａ、係合片６ｂのいずれか少なくとも１つを折り返し、その復元力によって係合片６ａ、係合片６ｂのいずれか少なくとも１つを糞すくい上げ部２ａの側壁部外面に押し当て、係合突片としての周縁鍔部４ｂ、４ｃのいずれか少なくとも１つ、又は係合突起７ａ、係合突起７ｂのいずれか少なくとも１つに引っ掛けて係合することにより、糞すくい上げ部２ａと糞受け部２ｂを閉じた状態のままで互いに固定することができる。
【００４７】
図１２に示すように、係合片６ａ、係合片６ｂの先端に係合解除操作片１１ａ、係合解除操作片１１ｂを設けることができる。  係合解除操作片１１ａ、係合解除操作片１１ｂを引く操作をすることにより、係合片６ａ、係合片６ｂの係合を簡単に解除することができる。
【００４８】
また、本願発明の糞採取器は、糞すくい上げ部２ａと糞受け部２ｂを閉じた状態のままで固定するための嵌合部として、嵌合凸部９を指入穴５の胴部先端部分に、嵌合凹部１０を糞受け部２ｂに設けることができる。
【００４９】
本願発明の糞採取器は、量産するための初期費用を低く抑え製造工程を単純化し製造コストを低くするため、パルプモールド、紙、段ボール、木質材、樹脂成形体のうちから選ばれる少なくとも１種以上の材料から製造することが好ましい。
【００５０】
本願発明の糞採取器は、パルプモールド、紙、段ボール、木質材、樹脂成形体のうちから選ばれる少なくとも１種以上の材料から製造とすることにより、本願発明の糞採取器には各種薬品を材料に添加又は塗布することができる。薬品の種類に応じて種々の薬品付与効果が得られる。薬品としては、例えば、紙力増強剤、消臭剤、芳香剤、消毒剤、殺菌剤等があげられる。
また、各種染料や顔料を添加、塗布、印刷、貼付することができる。蛍光色や原色など視覚的に目立つ色の染料や顔料を添加、塗布、印刷、貼付することにより、ユーザーが糞を適切に採取して処理していることを周囲により良く知らしめることが可能となり、本糞採取器の商品としての宣伝効果が期待できる。
【００５１】
また、使用に際してユーザーが事前に紙、紙袋、ポリ袋等を器具に装着したり部材の組み立て等を行う手間を無くすことができる。
更に、基本的に使い捨てであるので衛生的である。
【００５２】
本願発明の糞採取器は、パルプモールド、紙、段ボールのうちから選ばれる少なくとも１種以上の材料から製造した場合、紙力増強剤として湿潤紙力増強剤を添加することにより、本糞採取器が水分を帯びた際の強度を高めることが好ましい。
また、ラミネート処理を施し耐水性を高めることもできる。
【００５３】
排泄を待ち受けて糞を採取する方法は、糞の排泄前に糞すくい上げ部２ａおよび糞受け部２ｂを開口させ、開口部を上向きにしてペットの尻の下に位置させ、糞すくい上げ部２ａ、糞受け部２ｂの少なくともいずれか一方で糞を受け止めて採取し、糞すくい上げ部２ａと糞受け部２ｂを閉じ合わせ互いに閉蓋させ、箱状に形成される糞収容部２に糞を収容し、糞すくい上げ部２ａと糞受け部２ｂを閉じた状態のままで互いに固定する。
【００５４】
排泄後の既に排泄された糞を採取する方法は、糞の排泄後に糞すくい上げ部２ａおよび糞受け部２ｂを開口させ開口部を下向きにして保持し、排泄された糞の上から糞すくい上げ部２ａのヒンジ部に対向する開口端縁である周縁鍔部４ａと糞受け部２ｂのヒンジ部に対向する開口端縁８ａを地面に押し当て、糞すくい上げ部２ａと糞受け部２ｂを閉じ合わせて糞を採取し、糞すくい上げ部２ａと糞受け部２ｂを互いに閉蓋させ、箱状に形成される糞収容部２に糞を収容し、糞すくい上げ部２ａと糞受け部２ｂを閉じた状態のままで互いに固定する。
【産業上の利用可能性】
【００５５】
本願発明の糞採取器は、量産するための初期費用や製造コストが低く実用性が高いため散歩時に糞の採取が必要なペットの飼い主が利用可能であり、産業上の利用可能性が大きい。
【符号の説明】
【００５６】
１     ヒンジ部
２     糞収容部
２ａ    糞すくい上げ部
２ｂ    糞受け部
３     ヒンジ帯
３ａ    ヒンジ部
３ｂ   ヒンジ部
４ａ    周縁鍔部
４ｂ    周縁鍔部
４ｃ    周縁鍔部
５      指入穴
６ａ     係合片
６ｂ     係合片
７ａ      係合突起
７ｂ     係合突起
８ａ     ヒンジ部に対向する開口端縁
９        嵌合凸部
１０      嵌合凹部
１１ａ    係合解除操作片
１１ｂ    係合解除操作片
【図１】
2017163966.tif 000003
【図２】
2017163966.tif 000004
【図３】
2017163966.tif 000005
【図４】
2017163966.tif 000006
【図５】
2017163966.tif 000007
【図６】
2017163966.tif 000008
【図７】
2017163966.tif 000009
【図８】
2017163966.tif 000010
【図９】
2017163966.tif 000011
【図１０】
2017163966.tif 000012
【図１１】
2017163966.tif 000013
【図１２】
2017163966.tif 000014
【図１３】
2017163966.tif 000015
【図１４】
2017163966.tif 000016
【図１５】
2017163966.tif 000017